(57)【特許請求の範囲】
【請求項１】
透明または半透明性を有する基材と、
前記基材の裏面側に部分的に形成され、コレステリック相が固定されたバインダーを含まない液晶組成物を含有する液晶層と、
前記基材の裏面側全面に前記液晶層を覆うように形成された隠蔽性を有する背景層と、
前記液晶層および前記背景層を有する前記基材の裏面側に形成された接着剤層とを含み、
前記接着剤層を介して被貼着体に貼着される液晶ラベルであって、
前記基材を透して可視光下で見える前記背景層の色調と前記背景層により際立たされた前記液晶層の光輝性のある色調とで画線が表され、
前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベル。
【請求項２】
透明または半透明性を有し、その表面は剥離性を備えた基材と、
前記基材の裏面側に部分的に形成され、コレステリック相が固定されたバインダーを含まない液晶組成物を含有する液晶層と、
前記基材の裏面側全面に前記液晶層を覆うように形成された隠蔽性を有する背景層と、
前記液晶層および前記背景層を有する前記基材の裏面側に形成された接着剤層とを含み、
前記接着剤層を介して被貼着体に貼着される液晶ラベルが複数連続して前記基材の表面を外側とし前記接着剤層を内側として巻回される液晶ラベル連続体であって、
前記基材を透して可視光下で見える前記背景層の色調と前記背景層により際立たされた前記液晶層の光輝性のある色調とで画線が表され、
前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベル連続体。
【請求項３】
透明または半透明性を有する基材と、
前記基材の裏面側に部分的に形成され、コレステリック相が固定されたバインダーを含まない液晶組成物を含有する液晶層と、
前記基材の裏面側全面に前記液晶層を覆うように形成された隠蔽性を有する背景層と、
前記液晶層および前記背景層を有する前記基材の裏面側に形成された接着剤層とを含み、
前記接着剤層を介して被貼着体に貼着される液晶ラベルが複数連続して前記接着剤層の前記背景層とは反対側の面においてセパレータに仮着される液晶ラベル連続体であって、
前記基材を透して可視光下で見える前記背景層の色調と前記背景層により際立たされた前記液晶層の光輝性のある色調とで画線が表され、
前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベル連続体。
【請求項４】
前記背景層において、可視域での色差Ｅ＊ａｂを６以下となるようにして赤外線の吸収率に差を設けた、請求項１、２または３に記載の再貼着防止機能を有する液晶ラベルまたは液晶ラベル連続体。
【請求項５】
請求項１、２、３または４に記載の再貼着防止機能を有する液晶ラベルまたは液晶ラベル連続体の製造方法であって、
透明または半透明性を有する基材の裏面側に、バインダーを含まない液晶層形成用塗液を部分的に塗工し、塗工物をコレステリック相を形成し得る温度まで加熱してコレステリック相を形成し、そして紫外線照射によってＵＶ架橋してコレステリック相を固定することにより形成された、コレステリック相が固定されたバインダーを含まない液晶組成物を含有する液晶層を形成するステップと、
前記基材の裏面側全面に、前記液晶層を覆うように背景層形成用塗液を塗工することにより、隠蔽性を有する背景層を形成するステップとを含む、再貼着防止機能を有する液晶ラベルまたは液晶ラベル連続体の製造方法。
【請求項６】
請求項３または４に記載の再貼着防止機能を有する液晶ラベル連続体の製造方法であって、
透明または半透明性を有する基材の裏面側に、バインダーを含まない液晶層形成用塗液を部分的に塗工し、塗工物をコレステリック相を形成し得る温度まで加熱してコレステリック相を形成し、そして紫外線照射によってＵＶ架橋してコレステリック相を固定することにより形成された、コレステリック相が固定されたバインダーを含まない液晶組成物を含有する液晶層を形成するステップと、
前記基材の裏面側全面に、前記液晶層を覆うように背景層形成用塗液を塗工することにより、隠蔽性を有する背景層を形成するステップと、
前記液晶層および前記背景層を有する前記基材の裏面側と別途セパレータに設けられた接着剤層とを対向させて前記液晶層および前記背景層を有する前記基材と前記セパレータとを積層することにより、接着剤層が前記セパレータに仮着した状態で前記液晶層および前記背景層を有する前記基材の裏面側に形成されるように、接着剤層を形成するステップとを含む、再貼着防止機能を有する液晶ラベル連続体の製造方法。
【発明の詳細な説明】
【技術分野】
【０００１】
この発明は、再貼着防止機能を有する液晶ラベルおよび液晶ラベル連続体ならびにそれらの製造方法に関し、特にたとえば、偽造を防止することができるラベルとして用いて好適な再貼着防止機能を有する液晶ラベルおよび液晶ラベル連続体ならびにそれらの製造方法に関する。
【背景技術】
【０００２】
従来、ラベルの記録層は、感熱記録、感熱発色、印刷等で形成されているために、比較的容易にラベルの偽物を作りやすく、偽物と本物との違いは、見た目には分かりにくい構造を備えている。また、紫外線や赤外線等を照射すると発光する材料を用いたラベルは、紫外線や赤外線を照射することによってはじめて、ラベルが偽物と分かるものであって、目視のみでは、真正性の判別が難しかった。
そこで、特開２００２−２０５４７１に開示された、真正性識別性ラベルのような、真正性の識別できるラベルが提案されている。
【０００３】
【特許文献１】
特開２００２−２０５４７１
【発明の開示】
【発明が解決しようとする課題】
【０００４】
この従来の真正性識別性ラベルは、従来ラベルの表示材料としては殆ど用いられていないコレステリック液晶顔料を含有する表示材料を用いるために、これら材料に対する知識がないと、その材料の機能を発揮させ得ないために、偽造防止用ラベルとしては、その偽造が困難なゆえに、適するものとなる。
しかしながら、発明の目的を実現するのが難しい構成であるがゆえに、ラベルのコストも高くなり、たとえば、単価の低い部品の偽造防止用ラベルとして用いるには適さないし、また柔軟性に乏しい。すなわち、液晶層等の層の上に、その層が未だ粘着性を失わないうちに、直径が１０〜１００μｍ、好ましくは５０μｍ以下の微小球状体透明ビーズ、好ましくはガラス製の（硬い）ビーズを均一に、好ましくは２層以上重ならないように、１層に形成しなければならないという制御の困難な操作を伴うので、製造の再現性に問題があり、歩留まりが低くならざるを得ず、製造コストが高騰し、柔軟性も不十分である。
したがって、微小ビーズを整列させる操作や、液晶層に粘着性をもたせた状態で他の層を積層するような操作を採用しないものの方が、同じ性能のラベルを再現性高く、歩留まりよく、比較的低コストで製造することができ、且つ、製造し易い。
【０００５】
それゆえに、この発明の主たる目的は、しなやかで、被貼着体の面に沿って貼着し易く、比較的低コストで製造することができ、偽造防止用ラベルとして用いることが可能な、液晶ラベル、液晶ラベル連続体およびその製造方法を提供することである。
【課題を解決するための手段】
【０００６】
この発明にかかる請求項１に記載の再貼着防止機能を有する液晶ラベルは、透明または半透明性を有する基材と、前記基材の裏面側に部分的に形成され、コレステリック相が固定されたバインダーを含まない液晶組成物を含有する液晶層と、前記基材の裏面側全面に前記液晶層を覆うように形成された隠蔽性を有する背景層と、前記液晶層および前記背景層を有する前記基材の裏面側に形成された接着剤層とを含み、前記接着剤層を介して被貼着体に貼着される液晶ラベルであって、前記基材を透して可視光下で見える前記背景層の色調と前記背景層により際立たされた前記液晶層の光輝性のある色調とで画線が表され、前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベルである。
この再貼着防止機能を有する液晶ラベルでは、見る方向を変えてラベルを観察するだけで、汎用のラベルとの違いを直ちに識別できる、偽造防止用ラベルとして用いることができる。
この発明にかかる請求項２に記載の再貼着防止機能を有する液晶ラベル連続体は、透明または半透明性を有し、その表面は剥離性を備えた基材と、前記基材の裏面側に部分的に形成され、コレステリック相が固定されたバインダーを含まない液晶組成物を含有する液晶層と、前記基材の裏面側全面に前記液晶層を覆うように形成された隠蔽性を有する背景層と、前記液晶層および前記背景層を有する前記基材の裏面側に形成された接着剤層とを含み、前記接着剤層を介して被貼着体に貼着される液晶ラベルが複数連続して前記基材の表面を外側とし前記接着剤層を内側として巻回される液晶ラベル連続体であって、前記基材を透して可視光下で見える前記背景層の色調と前記背景層により際立たされた前記液晶層の光輝性のある色調とで画線が表され、前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベル連続体である。
この発明にかかる請求項３に記載の再貼着防止機能を有する液晶ラベル連続体は、透明または半透明性を有する基材と、前記基材の裏面側に部分的に形成され、コレステリック相が固定されたバインダーを含まない液晶組成物を含有する液晶層と、前記基材の裏面側全面に前記液晶層を覆うように形成された隠蔽性を有する背景層と、前記液晶層および前記背景層を有する前記基材の裏面側に形成された接着剤層とを含み、前記接着剤層を介して被貼着体に貼着される液晶ラベルが複数連続して前記接着剤層の前記背景層とは反対側の面においてセパレータに仮着される液晶ラベル連続体であって、前記基材を透して可視光下で見える前記背景層の色調と前記背景層により際立たされた前記液晶層の光輝性のある色調とで画線が表され、前記基材および前記液晶層間の接着強度が、前記液晶層および前記背景層間の接着強度より弱く、前記背景層および前記接着剤層間の接着強度より弱く、かつ、前記液晶層、前記背景層および前記接着剤層の各層の凝集破壊強度より弱く構成され、前記被貼着体に貼着された液晶ラベルを剥離した場合に、前記基材および前記液晶層間で剥離するようにした、再貼着防止機能を有する液晶ラベル連続体である。
この発明にかかる請求項４に記載の再貼着防止機能を有する液晶ラベルまたは液晶ラベル連続体は、前記背景層において、可視域での色差Ｅ＊ａｂを６以下となるようにして赤外線の吸収率に差を設けた、請求項１、２または３に記載の再貼着防止機能を有する液晶ラベルまたは液晶ラベル連続体である。
この発明にかかる請求項５に記載の再貼着防止機能を有する液晶ラベルまたは液晶ラベル連続体の製造方法は、請求項１、２、３または４に記載の再貼着防止機能を有する液晶ラベルまたは液晶ラベル連続体の製造方法であって、透明または半透明性を有する基材の裏面側に、バインダーを含まない液晶層形成用塗液を部分的に塗工し、塗工物をコレステリック相を形成し得る温度まで加熱してコレステリック相を形成し、そして紫外線照射によってＵＶ架橋してコレステリック相を固定することにより形成された、コレステリック相が固定されたバインダーを含まない液晶組成物を含有する液晶層を形成するステップと、前記基材の裏面側全面に、前記液晶層を覆うように背景層形成用塗液を塗工することにより、隠蔽性を有する背景層を形成するステップとを含む、再貼着防止機能を有する液晶ラベルまたは液晶ラベル連続体の製造方法である。
この発明にかかる請求項６に記載の再貼着防止機能を有する液晶ラベル連続体の製造方法は、請求項３または４に記載の再貼着防止機能を有する液晶ラベル連続体の製造方法であって、透明または半透明性を有する基材の裏面側に、バインダーを含まない液晶層形成用塗液を部分的に塗工し、塗工物をコレステリック相を形成し得る温度まで加熱してコレステリック相を形成し、そして紫外線照射によってＵＶ架橋してコレステリック相を固定することにより形成された、コレステリック相が固定されたバインダーを含まない液晶組成物を含有する液晶層を形成するステップと、前記基材の裏面側全面に、前記液晶層を覆うように背景層形成用塗液を塗工することにより、隠蔽性を有する背景層を形成するステップと、前記液晶層および前記背景層を有する前記基材の裏面側と別途セパレータに設けられた接着剤層とを対向させて前記液晶層および前記背景層を有する前記基材と前記セパレータとを積層することにより、接着剤層が前記セパレータに仮着した状態で前記液晶層および前記背景層を有する前記基材の裏面側に形成されるように、接着剤層を形成するステップとを含む、再貼着防止機能を有する液晶ラベル連続体の製造方法である。
【発明の効果】
【０００７】
この発明によれば、しなやかで、被貼着体の面に沿って貼着し易く、比較的低コストで製造することができ、偽造防止用ラベルとして用いることが可能な、液晶ラベル、液晶ラベル連続体およびその製造方法を提供することができる。
【０００８】
この発明の上述の目的、その他の目的、特徴および利点は、図面を参照して行う以下の発明の実施の形態の詳細な説明から一層明らかとなろう。
【発明を実施するための最良の形態】
【０００９】
図１は、この発明の一実施の形態である液晶ラベルの断面図解図である。
この液晶ラベル１０は、透明または半透明性を有するポリエステルフィルム等のような合成樹脂製シートまたはフィルムからなる基材１２と、基材１２の裏面側に形成されたコレステリック液晶が固定されてなる液晶層１４と、前記液晶層１４の基材１２とは反対側の面に形成され、前記液晶層１４の光輝性を際立たされるために形成された背景層１６と、前記背景層１６の液晶層１４側とは反対側の面に形成された粘着剤などを塗布してなる接着剤層１８とからなる。
【００１０】
基材１２は、透明性のＰＥＴなどのプラスチックフィルム，シートなどを用いることが適するが、特に液晶層１４を形成する側の基材１２の面（すなわち、基材１２の表面）は、透明性を増し、また、この液晶ラベル１０を被貼着体より剥がそうとしたとき、液晶層１４との間において層間剥離し易いようにするために、平滑性に優れていることが望ましい。さらに、基材１２と液晶層１４の間において層間剥離しやすくするために、液晶層を形成する表面側は表面処理がなされていないことが望ましい。ときには、液晶層１４を構成する液晶分子の配向を助長するため、液晶層１４を形成する基材１２表面に、基材１２の長手方向に微細な線状痕を形成してもよい。
【００１１】
液晶層１４を構成する液晶組成物としては、コレステリック液晶が選択され、コレステリック液晶は、螺旋構造のコレステリック相あるいはキラルネマチック相（図２参照）を示す化合物を塗工してなる。
コレステリック相あるいはキラルネマチック相を示す化合物としては、コレステリルノナノエート、コレステリルミリステート等のほか、表１に示すようなものがある。
【００１２】
【表１】
0004033864.tif 000002
（表１の注）表１の相転移温度の欄において、Ｃは結晶性固体、Ｓはスメクチック相、Ｓｃ*はキラルスメクチックＣ相、Ｃｈはコレステリック相、Ｎ*はキラルネマチック相、Ｉは等方性液体を表す。
【００１３】
また、表２に示す単独でネマチック相を示す化合物に、表３に示すキラル化合物を加えてもキラルネマチック相を形成する（以下、コレステリック相、キラルネマチック相の区別をせずに、コレステリック相と総称する）。
【００１４】
【表２】
0004033864.tif 000003
（表２の注）表２の相転移温度の欄において、Ｃは結晶性固体、Ｎはネマチック相、Ｉは等方性液体を表す。
【００１５】
【表３】
0004033864.tif 000004
（表３の注）ネマチック相を示す液晶にキラル分子を添加すると、キラルネマチック相（Ｎ*）が得られる。この場合、その混合液晶のピッチの逆数１／ｐは、キラル分子のモル濃度ｘB が小さい領域では、ｘB に比例する。それゆえ、１／ｐｘB のことを、キラルのねじり力という。
【００１６】
この発明にかかる液晶層１４は、コレステリック相が固定されたものであり、その固定の方法としては、たとえば、液晶分子の両末端にアクリル基を有さしめ、これを基材１２に塗工し、この塗工物をコレステリック相を形成し得る温度まで加熱し、コレステリック相を形成し、紫外線照射をすることにより、ＵＶ架橋してコレステリック相を固定する。
そのため、温度等、環境が変化しても、コレステリック相は安定して存在する。
【００１７】
液晶層形成用塗液は、溶剤系でも非溶剤系でもよい。
溶剤系では、溶剤としてＭＥＫ，ＭＩＢＫ等のケトン類、トルエン、酢酸エチル等が好ましい。また、固形分濃度は、特に制限はないが、２５〜６７％が好ましい。２５％を下回ると、画線を鮮明に形成できなくなるおそれがあり、乾燥に要する時間が長くなる。６７％を超えると塗液を加熱しないと固体が析出するおそれがある。特に好ましい濃度範囲は、５０〜６５％である。塗液からの溶剤の蒸発等による固体の析出のおそれをなくすために、塗液を加熱しながら塗工することも行われる。
非溶剤系では、塗工組成物をコレステリック相を形成する最低温度以上、好ましくはコレステリック相を形成する温度領域の温度に加熱しながら塗工を行う。
溶剤系でも、非溶剤系でも、コレステリック相の固定を行うため、コレステリック相を形成する温度範囲に液晶層形成用塗工物を保ったまま、架橋等を行う。これによって、コレステリック相は、温度環境等が変わっても、たとえば常温においても安定的に維持される。
【００１８】
コレステリック相からなる液晶層１４は、光輝性を示し、見る方向によって連続的に色調が変化する。たとえば、上から垂直に見たときにはグリーンに見え、水平に近い方向に見たときにはブルーに見えるといった如くである。
このコレステリック相を示す液晶層１４は、広いスペクトル領域で入射する光の一部の波長領域のみが反射し、これ以外の領域の波長は、すべて透過するという特徴を有する。
【００１９】
この液晶層１４は、基材１２の裏面に全面にわたって形成されるのではなく、文字、絵等からなる画線が、液晶層１４を形成する液晶層形成用塗液を塗工して凸文字や抜き文字が形成されることによって、画線を構成するように形成されている。
なお、螺旋のピッチＰ（図２図示）が大きくなると、長波長側の色が現われ、螺旋のピッチＰが小さくなると、短波長側の色が現われる。このピッチを変えるには、キラル化合物を添加した系においては、キラル化合物の添加量を変更すればよい。
【００２０】
背景層１６は、墨インキや赤、青等の着色インキ等を印刷・塗工することによって形成される。背景層１６は、液晶層１４の光輝性を際立たせるために形成されたもので、液晶層１４を覆うように基材１２の裏面全面にわたって形成されている。特に、背景層１６としては、墨インキ等で形成された黒色が、液晶層１４の光輝性を際立たせるために優れている。
また、背景層１６の色彩によって、液晶層１４の目視での色調が変化するので、背景層１６を形成するインキの組成や色が重要である。たとえば、背景層１６の色が黒のときは、液晶層１４を目視すると、グリーンからブルーの光輝性を示すのに対し、背景層１６が赤のときは、液晶層１４を目視すると、オレンジから紫の光輝性を示し、また、背景層１６が白に近い着色のときには、液晶層１４は、乳白色またはパール調を示す。
したがって、背景層１６を形成する色を２以上に区分けして形成すると、液晶層１４を目視したとき、背景層１６の色彩の変化に対応した彩り鮮やかな液晶ラベルとなる。
【００２１】
接着剤層１８は、アクリル系、ゴム系等の一般的な粘着剤が塗布されて形成されている。
接着剤層１８の表面には、紙等の表面にシリコーン等の剥離剤が塗工されてなるセパレータ２０が仮着されている。
【００２２】
被貼着体に貼付けられた液晶ラベル１０を被貼着体から剥がそうとしたとき、液晶ラベル１０が破壊して偽物のラベルに貼り替えられないようにするために、たとえば、次のような構成としてもよい。
基材１２と液晶層１４の接着強度を、他の層間の接着強度、すなわち図１の場合は液晶層１４と背景層１６間および背景層１６と接着剤層１８間の接着強度、および各層の凝集破壊強度より弱く構成する。その方法としては、たとえば、液晶層形成用塗液にバインダーを全く用いないようにして、基材１２と液晶層１４との接着強度を調整する方法がある。
また、背景層１６および／または液晶層１４の凝集破壊強度を、他の層の凝集破壊強度および各層間の接着強度より弱く構成してもよい。
このようにすれば、基材１２と液晶層１４との間で層間剥離をしたり、背景層１６および／または液晶層１４において、凝集破壊し、液晶ラベル１０を被貼着体から剥がそうとしたとき、液晶ラベル１０が破壊して、他の偽物の品物にラベルを貼り替え、偽物を真正品と見せかけることができなくなる。
【００２３】
【実施例１】
基材として、特に表面処理が施されていない、幅１６０ｍｍ、厚さ５０μｍのＰＥＴフィルム（株式会社東洋紡製Ｅ−５０００）を準備し、別途、基材の裏面に塗工されて液晶層を構成する塗液を準備する。
液晶層形成用塗液としては、次の混合塗液を用いる。
両末端にアクリル基を有するネマチック液晶（ＢＡＳＦ社のPaliocolor LC242）・・・５５．３重量％
キラル化合物（ＢＡＳＦ社のPaliocolor LC756）・・・２．９重量％
紫外線重合開始剤（チバスペシャリティ−ケミカルズ社のIrgacure 369）・・・１．８重量％
溶媒としてのメチルエチルケトン（ＭＥＫ）・・・４０．０重量％
この液晶形成用塗液をもって、グラビア版により、乾燥後の厚さが３μｍとなるように、絵柄を含めて、凸文字、抜き文字の画線を形成するように塗工して、乾燥ゾーン（１１０〜１２０℃）を１５秒間通過させて乾燥させ、コレステリック相を形成する。その後直ちに、紫外線照射をして、紫外線ＵＶ硬化を行い、コレステリック相を固定する。ネマチック液晶を形成する温度は、５９℃以上１２０〜１２４℃以下である。
これによって、基材上に、安定的なコレステリック相からなる液晶層を形成する（液晶層を形成するステップ）。
次に、背景層を形成するための墨インキ塗液（東洋インキ製造株式会社製ＰＡＮＮ  ＥＣＯ）を準備し、この墨インキ塗液を基材の裏面に、液晶層を覆うように、グラビア版により乾燥後の平均厚さ３μｍとなるよう塗工する。その後、乾燥ゾーン（７０〜８０℃）を３秒間通過させて、墨インキ塗液を乾燥する。
而して、液晶層を覆う背景層が基材の裏面に形成される（背景層を形成するステップ）。
【００２４】
次に、紙の表面にシリコーン等の剥離剤が塗工されたセパレータの表面に、粘着剤が塗工されたものを別途準備し、前記基材の裏面に形成された背景層側の裏面とセパレータの表面に形成された接着剤層の表面とを対向させ、両者を積層ローラ間を通過させることにより積層する（接着剤層を形成するステップ）。
【００２５】
さらに、前記基材、液晶層および背景層からなる積層体と接着剤層およびセパレータの積層体とを積層した積層体を適宜な大きさのラベル（２０×７０ｍｍ）に成形するために、基材の表面側よりセパレータの接着剤層側表面に至るようにダイカットを施す。このように、所定のラベル形状を成形した後、ラベル以外の不要なカス部分をセパレータ表面より取り除くカス上げを行う。
なお、このラベルは、図３に示すように、セパレータの幅方向に一定の間隔（６ｍｍ間隔）をおいて、６列形成され、各列のラベルは、セパレータの長手方向に一定の間隔（３ｍｍ間隔）をおいて配列して設けられている。そこで、幅方向において６列に並列されたラベル間において、等間隔にセパレータをスリットし、セパレータを６本に分断して、それぞれのセパレータの表面にラベルが所定の間隔をおいて、連続して配列されたラベル連続体を作成した。
なお、このラベルの形状やラベル間の間隔は、適宜変更してもよい。
【００２６】
この実施例の液晶ラベルは、基材側から見ると、見る方向によって、緑ないし青紫に変化する鮮やかな光輝性を示した。
また、この実施例においては、液晶層を構成する液晶層形成用塗液に、バインダーを全く用いずに液晶層を形成しているので、基材と液晶層の界面の接着強度が、他の層間の接着強度や各層の凝集破壊強度より弱くなっているために、被貼着体（ポリプロピレンからなる）に貼り付けし、被貼着体に貼り付けられた液晶ラベルを破壊することなく剥がそうと試みたが、基材と液晶層との間で剥離し、ラベルを被貼着体から破壊することなく剥がすことはできなかった。
【００２７】
図４は、この発明の別の実施の形態である液晶ラベルの断面図解図である。
図４に示す液晶ラベル２１０は、上述の液晶ラベル１０と同様に、透明または半透明性を有する基材２１２と、基材２１２の裏面側に形成された液晶層２１４と、液晶層２１４の基材２１２とは反対側の面に形成された背景層２１６と、背景層２１６の液晶層２１４側とは反対側の裏面に形成された接着剤層２１８とからなり、接着剤層２１８の表面にはセパレータ２２０が仮着されている。
そのため、この液晶ラベル２１０は、上述の液晶ラベル１０が奏する効果と同様の効果を奏する。
【００２８】
また、この液晶ラベル２１０では、液晶層２１４は、基材２１２の裏面側において、たとえばリング状の部分を除いた部分に形成される。
さらに、この液晶ラベル２１０では、背景層２１６は、基材２１２の裏面側に液晶層２１４を覆うようにして形成される。この背景層２１６は、主部分２１６ａと画線部分２１６ｂおよび２１６ｃとからなる。
背景層２１６の画線部分２１６ｂは、液晶層２１４において基材２１２とは反対側の面に直線状に形成される。また、背景層２１６の画線部分２１６ｃは、液晶層２１４において基材２１２とは反対側の面と基材２１２の裏面とにわたって直線状に形成される。さらに、背景層２１６の主部分２１６ａは、基材２１２の裏面側において、液晶層２１４と画線部分２１６ｂおよび２１６ｃとを覆うようにして形成される。
また、背景層２１６は、主部分２１６ａの赤外線の吸収率に対して画線部分２１６ｂおよび２１６ｃの赤外線の吸収率が大きくなるように形成される。
さらに、この背景層２１６は、主部分２１６ａと画線部分２１６ｂおよび２１６ｃとの可視域での色差Ｅ*ａｂが小さく、可視光下で主部分２１６ａと画線部分２１６ｂおよび２１６ｃとが区別しにくく、画線部分２１６ｂおよび２１６ｃが可視光下で識別されないように構成される。
【００２９】
この背景層２１６の主部分２１６ａの材料としては、たとえばノンカーボンインキが使用される。ノンカーボンインキとしては、たとえばＵＶ硬化型の次のインキが使用される。
Ｔ＆Ｋ  ＴＯＫＡ社のＵＶ  ＫＳＴ  ＳＬ  ＦＬ  耐性墨
また、この背景層２１６の画線部分２１６ｂおよび２１６ｃの材料としては、たとえばカーボンブラック入りインキが使用される。カーボンブラックインキとしては、たとえばＵＶ硬化型の次のインキが使用される。
Ｔ＆Ｋ  ＴＯＫＡ社のＮｏ．５  ＢＦ  墨  ＯＳ
【００３０】
なお、上述のように背景層２１６の画線部分２１６ｂおよび２１６ｃを可視光下で識別されないように構成するためには、背景層２１６の主部分２１６ａと画線部分２１６ｂおよび２１６ｃとの可視域での色差Ｅ*ａｂを６以下にすることが好ましく、その色差Ｅ*ａｂを３以下にすることがさらに好ましい。
【００３１】
図４に示す液晶ラベル２１０では、それを可視光下で見たときの平面図解図を図５に示すように、基材２１２を透して、光輝性を有する液晶層２１４が見えるとともに、液晶層２１４の存在しない部分において背景層２１６が黒いリング状に見える。
また、図４に示す液晶ラベル２１０では、暗闇の中でその表面に赤外線を照射してその液晶ラベル２１０の表面側からの反射光をＣＣＤカメラ（ソニー社のビデオカメラＤＣＲ−ＰＣ１２０をナイトショットモードで使用）で捉えた映像を図６に示すように、背景層２１６の画線部分２１６ｂおよび２１６ｃが暗く見え、その他の部分が明るく見える。
したがって、この液晶ラベル２１０では、上述の液晶ラベル１０と比べて、ラベル真正性の判別の確度をさらに向上することができる。
【００３２】
なお、この液晶ラベル２１０では、背景層２１６の画線部分２１６ｂおよび２１６ｃが３本の直線状に形成されているが、背景層の画線部分の数は１、２または４以上に任意に変更されてもよく、また、背景層の画線部分の形状は文字状、図形状、記号状などに任意に変更されてもよい。
【００３３】
また、この液晶ラベル２１０では、背景層２１６の主部分２１６ａの赤外線の吸収率に対して画線部分２１６ｂおよび２１６ｃの赤外線の吸収率が大きくなるように形成されているが、背景層２１６の画線部分２１６ｂおよび２１６ｃの赤外線の吸収率に対して主部分２１６ａの赤外線の吸収率が大きくなるように形成されてもよい。この場合、上述のＣＣＤカメラの映像において、背景層２１６の主部分２１６ａが暗くなり、背景層２１６の画線部分２１６ｂおよび２１６ｃが明るくなる。
【００３４】
なお、この液晶ラベル２１０において、背景層２１６の主部分２１６ａは、画線部分２１６ｂおよび２１６ｃにおいて基材２１２とは反対側の面上には形成されなくてもよい。このように画線部分２１６ｂおよび２１６ｃ上に背景層２１６の主部分２１６ａが形成されなくても、同様の効果を奏する。
【００３５】
また、この液晶ラベル２１０において、背景層２１６の画線部分２１６ｂおよび２１６ｃを形成せずに、背景層２１６の全体がカーボンブラックインキまたはノンカーボンインキで形成されてもよい。このように背景層２１６の全体をカーボンブラックインキで形成すれば、上述のＣＣＤカメラでの映像の全体が暗くなり、背景層２１６の全体をノンカーボンインキで形成すれば、上述のＣＣＤカメラでの映像の全体が明るくなる。
【００３６】
また、液晶ラベル２１０において、背景層２１６の一部分がノンカーボンインキで形成され、残りの部分がカーボンインキで形成されてもよい。たとえば、液晶ラベル２１０の背景層２１６の右半分がノンカーボンインキで形成され、左半分がカーボンインキで形成されると、上述のＣＣＤカメラでの映像は右半分が明るくなり、左半分が暗くなる。
【００３７】
さらに、この液晶ラベル２１０において、背景層２１６の主部分２１６ａと画線部分２１６ｂおよび２１６ｃとの可視域での色差Ｅ*ａｂが６を超えるようにしてもよい。このようにすると、背景層２１６の画線部分２１６ｂおよび２１６ｃが可視光下で識別されやすくなってしまうが、赤外線を照射してその反射光をＣＣＤカメラなどで受光すると、背景層２１６の主部分２１６ａと画線部分２１６ｂおよび２１６ｃとの赤外線の吸収率の違いが明瞭に分かるので、上述の液晶ラベル１０と比べて、ラベル真正性の判別の確度を向上することができる。
【００３８】
なお、この液晶ラベル２１０も、上述の液晶ラベル１０と同様に、真正品である被貼着体に貼付けられた後に、その被貼着体から剥離された場合に、層間で剥離しまたは一部の層が破壊して偽物に張り替えられないようにするために、次のように構成されてもよい。
すなわち、上述の各液晶ラベルにおいて、基材および液晶層間の接着強度は、液晶層および背景層間の接着強度より弱く、背景層および接着剤層間の接着強度より弱く、かつ、液晶層、背景層および接着剤層の各層の凝集破壊強度より弱く構成されることが好ましい。このように構成すれば、液晶ラベルを剥離した場合に、基材および液晶層間で剥離して、全体がうまく剥離せずに、再貼着を防止することができる。
あるいは、上述の各液晶ラベルにおいて、液晶層、背景層および接着剤層のうちの液晶層および／または背景層の凝集破壊強度は、液晶層、背景層および接着剤層のうちの他の層の凝集破壊強度より弱く、基材および液晶層間の接着強度より弱く、液晶層および背景層間の接着強度より弱く、かつ、背景層および接着剤層間の接着強度より弱く構成されることが好ましい。このように構成すれば、液晶ラベルを剥離した場合に、液晶層および／または背景層が破壊して、全体がうまく剥離せずに、再貼着を防止することができる。
あるいは、上述の各液晶ラベルにおいて、各層間の接着強度、たとえば、基材および液晶層間の接着強度、液晶層および背景層間の接着強度、背景層および接着剤層間の接着強度、および接着剤層を除く各層の凝集破壊強度、たとえば、液晶層の凝集破壊強度、背景層の凝集破壊強度のうちの少なくとも１つの強度が、接着剤層の凝集破壊強度より弱く構成されることが好ましい。このように構成すれば、液晶ラベルを剥離した場合に、層間で剥離し、および／または、液晶層および／または背景層が破壊して、全体がうまく剥離せずに、再貼着を防止することができる。この場合、各層間の接着強度、たとえば、基材および液晶層間の接着強度、液晶層および背景層間の接着強度、背景層および接着剤層間の接着強度、および接着剤層を除く各層の凝集破壊強度、たとえば、液晶層の凝集破壊強度、背景層の凝集破壊強度のうちの２以上の強度が、同等に形成されてもよい。
【００３９】
なお、上述の各液晶ラベルにおける凸文字、抜き文字は、グラビア印刷、フレキソ印刷、凸版印刷、スクリーン印刷等を用いて形成することができるが、その中でも、グラビア印刷、フレキソ印刷が、画線をクリアに形成し易い等のため好ましく、より好ましくは、グラビア印刷によって形成することである。
【００４０】
また、図４に示す液晶ラベル２１０における背景層２１６の画線部分２１６ｂおよび２１６ｃについても、グラビア印刷、フレキソ印刷、凸版印刷、スクリーン印刷等を用いて形成することができるが、その中でも、グラビア印刷、フレキソ印刷が、画線をクリアに形成し易い等のため好ましく、より好ましくは、グラビア印刷によって形成することである。
また、全面塗工（ベタ）は、前記したいずれの印刷方法によって形成してもよく、さらに、ナイフコーター、バーコータ等の方法によって塗工することもできる。
【００４１】
なお、前記実施の形態の説明において、セパレータ上に複数のラベルを形成したラベル連続体について説明したが、セパレータを粘着剤からなる接着剤層表面に仮着せず、基材の液晶層側とは反対側の表面に、シリコーン等の剥離性に優れた材料を塗布して剥離層を形成し、接着剤層を内側とし、基材の剥離層を形成した表面を外側として巻回し、使用時に巻き戻して使用することができるラベル連続体としてもよい。
【００４２】
また、背景層は、隠蔽効果が出る厚み以上であればよく、たとえば、１μｍ以上が好ましく、さらには、２〜５μｍ程度が、より好ましい。
【産業上の利用可能性】
【００４３】
この発明によれば、しなやかで、被貼着体の面に沿って貼着し易く、比較的低コストで製造することができ、偽造防止用ラベルとして用いることが可能な、液晶ラベル、液晶ラベル連続体およびその製造方法を提供することができる。
【図面の簡単な説明】
【００４４】
【図１】この発明の一実施の形態である液晶ラベルの断面図解図である。
【図２】コレステリック相の分子配列を示す図解図である。
【図３】ラベル連続体の製造方法を示す平面図解図である。
【図４】この発明の別の実施の形態である液晶ラベルの断面図解図である。
【図５】図４に示す液晶ラベルを可視光下で見たときの平面図解図である。
【図６】暗闇の中で図４に示す液晶ラベルの表面に赤外線を照射してその液晶ラベルの表面側からの反射光をＣＣＤカメラで捉えた映像を示す図解図である。
【符号の説明】
【００４５】
１０、２１０  液晶ラベル
１２、２１２  基材
１４、２１４  液晶層
１６、２１６  背景層
１８、２１８  接着剤層
２０、２２０  セパレータ
【図１】
0004033864.tif 000005
【図２】
0004033864.tif 000006
【図３】
0004033864.tif 000007
【図４】
0004033864.tif 000008
【図５】
0004033864.tif 000009
【図６】
0004033864.tif 000010